(57)【特許請求の範囲】
【請求項１】
変調出力が、周波数ｆｃの搬送波とその両サイドバンドからなる、ＡＭ変調波において、
左音声信号と右音声信号とを加算した和信号と左音声信号から右音声信号を減算した差信号とによって周波数ｆｃの搬送波を振幅及び位相変調によりＡＭステレオ変調するＡＭステレオ変調器と、前記和信号で周波数ｆｃの搬送波をＡＭ変調したＡＭ変調出力信号に該ＡＭ変調出力と同一周波数帯域に、かつ同一時間にデジタル変調信号を加算して多重化するＡＭデータ多重変調器と、前記ＡＭステレオ変調器からの変調出力信号とＡＭデータ多重変調器からの変調出力との一方を選択して送出する選択手段と、を備えたことを特徴とする通信装置。
【請求項２】
変調出力が、周波数ｆｃの搬送波とその両サイドバンドからなる、ＡＭ変調波であり、左音声信号と右音声信号とを加算した和信号と左音声信号から右音声信号を減算した差信号とによって周波数ｆｃの搬送波を振幅及び位相変調によりＡＭステレオ変調した、受信信号を受けて復調するＡＭステレオ信号復調器と、ＡＭステレオ信号復調器からの復調出力信号を受けて左右音声信号に分離するマトリックス回路と、受信信号を受けて前記ＡＭステレオ信号復調器がＡＭステレオ信号を復調しているときに出力されるパイロット信号が送出されていないときのみ、ＡＭモノラル変調信号とデジタル変調信号を加算したＡＭデータ多重変調出力から、ＡＭモノラル信号を検波して抽出し、抽出したＡＭモノラル信号で変調した搬送波を前記ＡＭデータ多重変調出力から減算してデジタル変調波を抽出し、デジタル変調波を復調してデジタルデータを送出するＡＭデータ多重信号復調器と、を備えたことを特徴とする通信装置。
【発明の詳細な説明】
【０００１】
【発明の属する技術分野】
本発明は、通信装置に関し、さらに詳細にはＡＭ放送、ＡＭステレオ放送、ＡＭデータ多重放送を行う送信装置、ＡＭ放送、ＡＭステレオ放送、ＡＭデータ多重放送を受信する受信装置を備えた通信装置に関する。
【０００２】
【従来の技術】
従来からＡＭ放送とＡＭステレオ放送とを行う通信装置は知られて、既に放送が行われ、かつ受信されている。一方、ＡＭ変調信号にデジタル信号を多重化して送出するＡＭデータ多重変調方式および復調方式について本特許出願人は、既に特願平８−１６６６３６号および特願平８−１９５２３３号において提案している。
【０００３】
【発明が解決しようとする課題】
しかし、ＡＭ放送、ＡＭステレオ放送、ＡＭデータ多重放送を行い、それらを受信する通信装置はなかった。
【０００４】
本発明は、ＡＭ放送、ＡＭステレオ放送、ＡＭデータ多重放送を行い、それらを受信する通信装置を提供することを目的とする。
【０００５】
【課題を解決するための手段】
本発明の請求項１に記載の通信装置は、変調出力が、周波数ｆｃの搬送波とその両サイドバンドからなる、ＡＭ変調波において、左音声信号と右音声信号とを加算した和信号と左音声信号から右音声信号を減算した差信号とによって周波数ｆｃの搬送波を振幅及び位相変調によりＡＭステレオ変調するＡＭステレオ変調器と、前記和信号で周波数ｆｃの搬送波をＡＭ変調したＡＭ変調出力信号に該ＡＭ変調出力と同一周波数帯域に、かつ同一時間にデジタル変調信号を加算して多重化するＡＭデータ多重変調器と、前記ＡＭステレオ変調器からの変調出力信号とＡＭデータ多重変調器からの変調出力との一方を選択して送出する選択手段と、を備えたことを特徴とする。
【０００６】
本発明の請求項１に記載の通信装置によれば、ＡＭステレオ変調器からのステレオ信号変調出力を送出するときは選択手段によってＡＭステレオ変調器からの出力が選択され、ＡＭデータ多重変調器からのＡＭデータ多重変調出力を送出するときは選択手段によってＡＭデータ多重変調器からのＡＭデータ多重変調出力が選択されて送出される。
【０００７】
本発明の請求項２に記載の通信装置は、変調出力が、周波数ｆｃの搬送波とその両サイドバンドからなる、ＡＭ変調波であり、左音声信号と右音声信号とを加算した和信号と左音声信号から右音声信号を減算した差信号とによって周波数ｆｃの搬送波を振幅及び位相変調によりＡＭステレオ変調した、受信信号を受けて復調するＡＭステレオ信号復調器と、ＡＭステレオ信号復調器からの復調出力信号を受けて左右音声信号に分離するマトリックス回路と、受信信号を受けて前記ＡＭステレオ信号復調器がＡＭステレオ信号を復調しているときに出力されるパイロット信号が送出されていないときのみ、ＡＭモノラル変調信号とデジタル変調信号を加算したＡＭデータ多重変調出力から、ＡＭモノラル信号を検波して抽出し、抽出したＡＭモノラル信号で変調した搬送波を前記ＡＭデータ多重変調出力から減算してデジタル変調波を抽出し、デジタル変調波を復調してデジタルデータを送出するＡＭデータ多重信号復調器と、を備えたことを特徴とする。
【０００８】
本発明の請求項２に通信装置は、
受信信号を受けて復調するＡＭステレオ信号復調器と、
ＡＭステレオ信号復調器からの復調出力信号を受けて左右音声信号に分離するマトリックス回路と、
受信信号を受けて前記ＡＭステレオ信号復調器がＡＭステレオ信号を復調しているときに出力されるパイロット信号が送出されていないときのみ、ＡＭモノラル変調信号とデジタル変調信号を加算したＡＭデータ多重変調出力から、ＡＭモノラル信号を検波して抽出し、抽出したＡＭモノラル信号で変調した搬送波を前記ＡＭデータ多重変調出力から減算してデジタル変調波を抽出し、デジタル変調波を復調してデジタルデータを送出するＡＭデータ多重信号復調器と、
を備えたことを特徴とする。
【０００９】
【発明の実施の形態】
以下、本発明にかかる通信装置を実施の形態によって説明する。
【００１０】
図１は、本発明の実施の一形態にかかる多重通信装置の構成を示すブロック図である。
【００１１】
本発明の実施の一形態にかかる通信装置は、送信装置１と受信装置２とを備えている。送信装置１は、音声信号源１１、マトリックス回路１２、ＡＭステレオ信号変調器１３、デジタルデータ発生器１４、ＡＭデータ多重変調器１５を備えている。
【００１２】
送信装置１では、音声信号源１１から出力される左音声信号Ｌと右音声信号Ｒはマトリックス回路１２に供給されて、マトリックス回路１２において和信号（Ｌ＋Ｒ）と差信号（Ｌ−Ｒ）が生成される。和信号（Ｌ＋Ｒ）と差信号（Ｌ−Ｒ）は公知のＡＭステレオ信号変調器１３に供給されて、ＡＭステレオ信号変調器１３においてステレオ信号変調出力Ｓｔが生成される。
【００１３】
ここで、ＡＭステレオ信号変調器１３はステレオ送信であることを示すためのパイロット信号ｐを発生するパイロット信号発生器１３１とステレオ信号変調器１３２を備えている。ステレオ信号変調器１３２は搬送波発振器において発生させた搬送波（周波数ｆｃ）を和信号（Ｌ＋Ｒ）にて平衡変調し、９０度移相した搬送波（周波数ｆｃ）をパイロット信号ｐと差信号（Ｌ−Ｒ）を重畳した信号によって平衡変調し、両平衡変調出力が搬送波（周波数ｆｃ）と合成される。この合成出力が搬送波信号とされ、該搬送波信号が和信号（Ｌ＋Ｒ）信号にてＡＭ変調されて、このＡＭ変調出力がステレオ信号変調出力Ｓｔとして送出される。これらは公知のＡＭステレオ信号変調方式である。
【００１４】
さらに、送信装置１では、デジタルデータ発生器１４からデジタルデータＳｄ発生させ、デジタルデータＳｄはＡＭデータ多重変調器１５に供給され、ＡＭデータ多重変調器１５においてＡＭデータ多重変調出力Ｓｍｄが生成される。ステレオ信号変調出力ＳｔとＡＭデータ多重変調出力Ｓｍｄとは切替回路１６に供給されて、ＡＭデータ多重変調出力Ｓｍｄを放送する期間中は、切替回路１６はＡＭデータ多重信号変調器１５の出力側に切替えられ、ステレオ信号変調出力Ｓｔを放送する期間中は、切替回路１６はＡＭステレオ信号変調器１３の出力側に切替えられる。切替回路１６からの出力はアンテナ１７を介して送出される。
【００１５】
ここで、ＡＭデータ多重信号変調器１５は図２に示すように、ＡＭ変調器１５１にて和信号（Ｌ＋Ｒ）で周波数ｆｃの搬送波がＡＭ変調される。このＡＭ変調出力信号の両サイドバンド内の周波数を周波数（ｆｃ＋ｆα）、（ｆｃ−ｆα）としたとき、デジタルデータＳｄで周波数（ｆｃ＋ｆα）の搬送波が直交変調器１５２にて直交変調され、デジタルデータＳｄの実数部の符号のみが符号反転器１５３にて反転され、符号反転器１５３にて符号反転処理されたデジタルデータＳｄで周波数（ｆｃ−ｆα）の搬送波が直交変調器１５４にて直交変調され、直交変調器１５２からの変調出力と直交変調器１５４からの変調出力とは加算器１５５にて加算され、ＡＭ変調器１５１からのＡＭ変調出力と加算器１５５からの加算出力とは加算器１５６にて加算されて、デジタル変調出力がＡＭ変調出力と同一周波数帯域、同一時間に多重されたＡＭデータ多重変調出力Ｓｍｄとして出力される。
【００１６】
したがって、ＡＭデータ多重変調器１５では、図３に模式的に示すように、周波数軸上でＡＭ変調器１５１からは周波数ｆｃの搬送波とその両サイドバンドとの変調出力ａが出力され、周波数軸上で搬送波ｆｃを軸とする線対称な周波数（ｆｃ＋ｆα）の位置を挟む両側と周波数（ｆｃ−ｆα）の位置を挟む両側とに周波数スペクトルが広がった変調出力ｂとｃがそれぞれ変調器１５２と変調器１５４とから出力される。変調出力ａ、ｂおよびｃとは加算器１５５および加算器１５６にて多重されて、加算器１５６からＡＭデータ多重変調出力Ｓｍｄが送出される。
【００１７】
そこで、送信装置１からは、ＡＭデータ多重変調出力Ｓｍｄが放送される期間中は、ＡＭデータ多重変調出力Ｓｍｄがアンテナ１７を介して送出され、ＡＭデータ多重変調出力Ｓｍｄに代わってステレオ信号変調出力Ｓｔが放送される期間中は、ステレオ変調出力Ｓｔがアンテナ１７を介して送出されることになる。ここで、切替回路１６を手動で切替えても差し支えなく、この場合には、ステレオ信号変調出力Ｓｔを送出するときは切替回路１６をＡＭステレオ信号変調器１３の出力側に手動により切替え、ＡＭデータ多重変調出力Ｓｍｄを送出するときは切替回路１６をＡＭデータ多重信号変調器１５の出力側に手動により切替えればよい。
【００１８】
受信装置２は、アンテナ２１、ＡＭステレオ信号変調出力を復調するＡＭステレオ信号復調器２２、マトリックス回路２３、ＡＭデータ多重変調出力を復調するデータ多重信号復調器２４を備えている。
【００１９】
受信装置２では送信装置１から放送されたステレオ信号変調出力Ｓｔ、ＡＭデータ多重変調出力Ｓｍｄがアンテナ２１を介して受信され、ＡＭステレオ信号復調器２２およびデータ多重信号復調器２４に供給される。受信した信号がＡＭステレオ変調出力ＳｔのときはＡＭステレオ信号復調器２２で和信号（Ｌ＋Ｒ）および差信号（Ｌ−Ｒ）に復調される。復調された和信号（Ｌ＋Ｒ）および差信号（Ｌ−Ｒ）はマトリックス回路２３に供給されて、マトリックス回路２３において左信号Ｌと右信号Ｒとに分離されて出力される。
【００２０】
同時にＡＭステレオ信号復調器２２において差信号（Ｌ−Ｒ）からパイロット信号ｐが分離され、パイロット信号ｐがデータ多重信号復調器２４へ送出されて、パイロット信号ｐによってデータ多重信号復調器２４の復調動作が停止させられる。
【００２１】
ステレオ復調器２２は公知のように受信したステレオ信号変調出力Ｓｔから搬送波が再生され、搬送波に同期しかつ互いに９０度の位相差を有する第１および第２の搬送波信号が再生され、第１および第２の搬送波信号のそれぞれと受信したステレオ変調出力Ｓｔとが平衡変調器において乗算されて和信号（Ｌ＋Ｒ）および差信号（Ｌ−Ｒ）が出力される。
【００２２】
データ多重信号復調器２４は図４に示すように、例えば同期検波器２４１とローパスフィルタ２４２とＡＭ変調器２４３と減算器２４４とを含んでいる。同期検波器２４１にてＡＭデータ多重変調出力Ｓｍｄと搬送周波数ｆｃの信号と乗算することによって同期検波し、同期検波出力中の高周波成分をローパスフィルタ２４２によって除去し、高周波成分が除去された同期検波出力で周波数ｆｃの搬送波信号をＡＭ変調器２４３にてＡＭ変調し、減算器２４４にてこのＡＭ変調出力をＡＭデータ多重信号Ｓｍｄから減算することによって変調デジタルデータを分離し、この分離された変調デジタルデータを復調してデジタルデータＳｄに復調するように構成されている。
【００２３】
したがって、データ多重信号復調器２４における変調デジタルデータの分離は、模式的に図５に示すごとくである。ＡＭデータ多重変調出力Ｓｍｄが同期検波器２４１にて同期検波されて信号ｅが得られ、ローパスフィルタ２４２にて高域成分が除去された信号ｅがＡＭ変調器２４３にてＡＭ変調されて信号ｇが得られる。信号ｇは図３に示したＡＭ変調出力ａと同一波形であって、ＡＭデータ多重変調出力Ｓｍｄから信号ｇが減算器２４４にて減算されることによって、直交変調器１５２の変調出力ｂと直交変調器１５４の変調出力ｃと同一波形の変調出力ｈと変調出力ｉとがＡＭデータ多重変調出力Ｓｍｄから分離されることになる。
【００２４】
変調出力ｈと変調出力ｉの復調は変調時の処理と逆の処理を行うことによって復調される。すなわち、変調出力ｈを復調することによってデジタルデータＳｄが得られる。変調出力ｉの復調は変調出力ｉを復調し、該復調出力の実数部の符号のみを符号反転することによってデジタルデータＳｄが得られる。
【００２５】
いま、受信装置２において受信した信号がＡＭステレオ変調出力ＳｔであってＡＭステレオ信号に基づく変調出力のときには、デジタルデータは多重されていないからデータ多重信号復調器２４は動作しない。しかし、ＡＭステレオ信号に含まれている位相変調成分によってデータ多重信号復調器２４が誤作動してデジタルデータが出力される可能性が生ずる。しかし、受信した信号が変調出力ＳｔであってＡＭステレオ信号に基づく変調出力信号のときには、パイロット信号ｐがデータ多重信号復調器２４へ送出されて、データ多重信号復調器２４の動作はパイロット信号ｐによって停止させられているからＡＭステレオ信号に基づく位相変調成分によって誤作動することはない。
【００２６】
受信装置２において受信した信号がＡＭデータ多重変調出力Ｓｍｄのときには、ＡＭステレオ復調器２２においてＡＭデータ多重信号Ｓｍｄに重畳されている和信号（Ｌ＋Ｒ）、すなわちモノラル音声信号のみが復調されて、差信号（Ｌ−Ｒ）およびパイロット信号ｐはなく、マトリックス回路２３からは左音声信号Ｌ＝右音声信号Ｒが出力される。
【００２７】
またこの場合、パイロット信号ｐは送出されないために、データ多重信号復調器２４は動作し、データ多重信号復調器２４においてＡＭデータ多重信号Ｓｍｄに多重されているデジタルデータＳｄが復調されて送出されることになる。
【００２８】
なお、受信した信号がステレオ信号変調信号Ｓｔであって、左右の信号が同一のいわゆるモノラルのＡＭ信号に基づく変調出力のときには、デジタルデータＳｄが多重化されてはおらず、かつパイロット信号ｐは出力され、データ多重信号復調器２４は動作せず、ステレオ信号変調出力Ｓｔ中の位相変調成分によりデータ多重信号復調器２４が誤動作することもない。
【００２９】
【発明の効果】
以上説明したように本発明にかかる通信装置によれば、ＡＭ放送、ＡＭステレオ放送、ＡＭデータ多重放送を行い、それらを受信することができるという効果が得られる。
【図面の簡単な説明】
【図１】本発明の実施の一形態にかかる通信装置の構成を示すブロック図である。
【図２】本発明の実施の一形態にかかる通信装置におけるＡＭデータ多重変調器の構成を示すブロック図である。
【図３】本発明の実施の一形態にかかる通信装置におけるＡＭデータ多重変調器の作用の説明に供する模式図である。
【図４】本発明の実施の一形態にかかる通信装置におけるデータ多重信号復調器の構成を示すブロック図である。
【図５】本発明の実施の一形態にかかる通信装置におけるデータ多重信号復調器の作用の説明に供する模式図である。
【符号の説明】
１  送信装置
２  受信装置
１１  音声信号源
１２および２３  マトリックス回路
１３  ＡＭステレオ信号変調器
１３１  パイロット信号発生器
１３２  ステレオ信号変調器
１４  デジタルデータ発生器
１５  ＡＭデータ多重変調器
１６  切替回路
２２  ＡＭステレオ信号復調器
２４  データ多重信号復調器
【図１】
0003798516.tif 000002
【図２】
0003798516.tif 000003
【図３】
0003798516.tif 000004
【図４】
0003798516.tif 000005
【図５】
0003798516.tif 000006